(57)【要約】  【課題】  使用者が所望する部分画像を容易に表示させることができ、且つ安価に構成できる表示装置、および、安価な表示装置を用いる場合であっても、使用者が所望する部分画像を容易に表示させることができる表示制御プログラムを提供すること。  【解決手段】  表示装置１０によれば、部分地図データＤに関連づけられた隣接ページ情報に基づいて、表示パネル２に表示される部分地図ｄが、矢印キー７により指示された切り替え方向に隣接する部分地図ｄに切り替えられて、表示パネル２に表示されるので、従来のカーナビゲーションシステムのような高性能のＣＰＵを搭載しなくとも、使用者が所望する地図を容易に表示させることができる。よって、使用者が所望する地図を容易に表示させることができる表示装置１０を安価に構成できる。  【選択図】    図４
2007072064.tif 000002
【特許請求の範囲】
【請求項１】
全体画像を複数の部分画像で構成し、各部分画像を表示するための部分画像データを記憶する画像データ記憶手段と、前記画像データ記憶手段に記憶された部分画像データに基づいて部分画像を表示する表示手段と、前記表示手段により表示される部分画像の切り替え方向を指示するための切替手段と、前記切替手段により指示された切り替え方向に応じて前記表示手段における部分画像の表示を制御する表示制御手段とを備えた表示装置であって、
前記画像データ記憶手段は、各部分画像データに、その部分画像データに対応する部分画像と全体画像において隣接する部分画像のページ情報を関連づけて記憶するものであり、
前記表示制御手段は、前記部分画像データに関連づけられた隣接する部分画像のページ情報に基づいて、前記表示手段に表示される部分画像を、前記切替手段により指示された切り替え方向に隣接する部分画像に切り替えて、前記表示手段に表示させるものであることを特徴とする表示装置。
【請求項２】
前記部分画像の切替順序を記憶する履歴記憶手段と、
前記履歴記憶手段により記憶された切替順序に従って、前記表示手段に部分画像を順次表示させる履歴表示制御手段と、
前記履歴表示制御手段による表示制御と、前記表示制御手段による表示制御とのいずれか一方を選択する選択手段とを備えたことを特徴とする請求項１記載の表示装置。
【請求項３】
前記画像データ記憶手段は、前記部分画像が４分割された単位画像に対応する単位画像データを、各部分画像毎に記憶するものであり、
前記履歴記憶手段に記憶される切替順序において互いに並び合う前記部分画像が、前記全体画像において互いに斜め方向に隣接する場合、その隣接部分周辺に対応する４つの単位画像データから部分画像を構成する再構成手段を備え、
前記履歴表示制御手段は、前記全体画像において互いに斜め方向に隣接し且つ前記履歴記憶手段に記憶される切替順序において互いに並び合う前記部分画像の間に、前記再構成手段により構成された部分画像を介在させた切替順序で、前記表示手段に部分画像を順次表示させるものであることを特徴とする請求項２記載の表示装置。
【請求項４】
前記履歴表示制御手段は、前記切替手段における第１方向の指示操作に対して、前記履歴記憶手段により記憶された切替順序の正方向の部分画像を前記表示装置に表示させ、前記切替手段における第２方向の指示操作に対して、前記履歴記憶手段により記憶された切替順序の逆方向の部分画像を前記表示手段に表示させるものであることを特徴とする請求項２または３に記載の表示装置。
【請求項５】
前記履歴表示制御手段は、前記切替手段における第３方向の指示操作に対して、前記履歴記憶手段により記憶された切替順序の最初の部分画像を前記表示装置に表示させ、前記切替手段における第４方向の指示操作に対して、前記履歴記憶手段により記憶された切替順序の最後の部分画像を前記表示手段に表示させるものであることを特徴とする請求項４記載の表示装置。
【請求項６】
全体画像を複数の部分画像で構成し、各部分画像を表示するための部分画像データを記憶する画像データ記憶手段と、前記画像データ記憶手段に記憶された部分画像データに基づいて部分画像を表示する表示手段と、前記表示手段により表示される部分画像の切り替え方向を指示するための切替手段とを備えた表示装置に、前記切替手段により指示された切り替え方向に応じて前記表示手段における部分画像の表示を制御する表示制御ステップを実行させる表示制御プログラムであって、
前記画像データ記憶手段は、各部分画像データに、その部分画像データに対応する部分画像と全体画像において隣接する部分画像のページ情報を関連づけて記憶するものであり、
前記表示制御ステップは、前記部分画像データに関連づけられた隣接する部分画像のページ情報に基づいて、前記表示手段に表示される部分画像を、前記切替手段により指示された切り替え方向に隣接する部分画像に切り替えて、前記表示手段に表示させるものであることを特徴とする表示制御プログラム。
【発明の詳細な説明】
【技術分野】
【０００１】
本発明は、表示装置および表示制御プログラムに関するものである。
【背景技術】
【０００２】
従来から、現在地と地図とを表示パネルに表示するナビゲーションシステムが実用化されている。例えば、衛生からの電波を受信して現在地を知ることができるＧＰＳ（Ｇｌｏｂａｌ  Ｐｏｓｉｔｉｏｎｉｎｇ  Ｓｙｓｔｅｍ）を利用した車両用のカーナビゲーションシステムは広く利用されている。
【０００３】
このようなカーナビゲーションシステムによれば、地図を所望のサイズに拡大、縮小して表示パネルに表示させることができ、また、目的地までのルートを検索し、車両の現在地とルートとの関係を常時表示パネルの地図上に表示しながら、車両の移動に伴って表示する地図を徐々に移動させることにより、設定した目的地までドライバーが迷わないよう誘導することができる。
【０００４】
また、従来より、パーソナルコンピュータ（以下、ＰＣと称する）で用いることができる地図ソフトが提供されている。このような地図ソフトをＰＣにインストールすることにより、ＰＣをカーナビゲーションシステムのように機能させることができる（例えば、特開２０００−０１０４７１号公報（特許文献１）参照）。このようにカーナビゲーションシステムや地図ソフトがインストールされたＰＣを利用すれば、広域を含む大きな地図であっても、所望の部分だけ拡大して表示することができる。また、紙媒体の地図を利用すると、目的地までのルートが見開きのページ内に収まらない場合がある。その場合は、ページを捲って隣接する地図を開き、ルートを追うという煩わしい動作が必要となるが、カーナビゲーションシステムやＰＣを利用すれば、ルートに沿って、車両の移動と共に表示地図が徐々に移動するので、煩わしいページ捲り動作をする必要がなく、便利である。
【０００５】
なお、地図に限られず、例えばメカ図面、建築図面、組織図、組織表、フロアレイアウト図など全体を図示する一枚の図面サイズが大きい場合には、ＰＣを利用すれば、簡単に所望の部分を拡大表示することができるので、取り扱いが容易となる。一枚の図面サイズが大きい図面が紙媒体に図示されている場合には、その紙媒体を折り畳んで保管しているので、見たい部分を開かなければならず、また、使用後は折り畳まなければならず、取り扱いに不便なのである。
【特許文献１】特開２０００−０１０４７１号公報
【発明の開示】
【発明が解決しようとする課題】
【０００６】
しかしながら、所望のサイズの画像を容易に表示することができる上述のようなＰＣやカーナビゲーションシステムは、装置が比較的大型であるため、持ち運びに不便である。また、表示パネルにおいて、画像を拡大、縮小して表示したり、目的地までのルートなど、所望の流れ沿って部分画像を徐々に移動させつつ表示させる処理は、取り扱う情報量が多いので、高性能のＣＰＵを搭載する必要があり、高価なシステムとなってしまう。このため、個人の携帯用機器として持ち歩くことは実用上困難であった。
【０００７】
本発明は上述した問題点を解決するためになされたものであり、使用者が所望する地図などの部分画像を容易に表示させることができ、且つ安価に構成できる表示装置、および、安価な表示装置を用いる場合であっても、使用者が所望する地図などの部分画像を容易に表示させることができる表示制御プログラムを提供することを目的とする。
【課題を解決するための手段】
【０００８】
この目的を達成するために、請求項１記載の表示装置は、全体画像を複数の部分画像で構成し、各部分画像を表示するための部分画像データを記憶する画像データ記憶手段と、前記画像データ記憶手段に記憶された部分画像データに基づいて部分画像を表示する表示手段と、前記表示手段により表示される部分画像の切り替え方向を指示するための切替手段と、前記切替手段により指示された切り替え方向に応じて前記表示手段における部分画像の表示を制御する表示制御手段とを備えたものであって、前記画像データ記憶手段は、各部分画像データに、その部分画像データに対応する部分画像と全体画像において隣接する部分画像のページ情報を関連づけて記憶するものであり、前記表示制御手段は、前記部分画像データに関連づけられた隣接する部分画像のページ情報に基づいて、前記表示手段に表示される部分画像を、前記切替手段により指示された切り替え方向に隣接する部分画像に切り替えて、前記表示手段に表示させるものである。
【０００９】
請求項２記載の表示装置は、請求項１記載の表示装置において、前記部分画像の切替順序を記憶する履歴記憶手段と、前記履歴記憶手段により記憶された切替順序に従って、前記表示手段に部分画像を順次表示させる履歴表示制御手段と、前記履歴表示制御手段による表示制御と、前記表示制御手段による表示制御とのいずれか一方を選択する選択手段とを備えている。
【００１０】
請求項３記載の表示装置は、請求項２記載の表示装置において、前記画像データ記憶手段は、前記部分画像が４分割された単位画像に対応する単位画像データを、各部分画像毎に記憶するものであり、前記履歴記憶手段に記憶される切替順序において互いに並び合う前記部分画像が、前記全体画像において互いに斜め方向に隣接する場合、その隣接部分周辺に対応する４つの単位画像データから部分画像を構成する再構成手段を備え、前記履歴表示制御手段は、前記全体画像において互いに斜め方向に隣接し且つ前記履歴記憶手段に記憶される切替順序において互いに並び合う前記部分画像の間に、前記再構成手段により構成された部分画像を介在させた切替順序で、前記表示手段に部分画像を順次表示させるものである。
【００１１】
請求項４記載の表示装置は、請求項２または３に記載の表示装置において、前記履歴表示制御手段は、前記切替手段における第１方向の指示操作に対して、前記履歴記憶手段により記憶された切替順序の正方向の部分画像を前記表示装置に表示させ、前記切替手段における第２方向の指示操作に対して、前記履歴記憶手段により記憶された切替順序の逆方向の部分画像を前記表示手段に表示させるものである。
【００１２】
請求項５記載の表示装置は、請求項４記載の表示装置において、前記履歴表示制御手段は、前記切替手段における第３方向の指示操作に対して、前記履歴記憶手段により記憶された切替順序の最初の部分画像を前記表示装置に表示させ、前記切替手段における第４方向の指示操作に対して、前記履歴記憶手段により記憶された切替順序の最後の部分画像を前記表示手段に表示させるものである。
【００１３】
請求項６記載の表示制御プログラムは、全体画像を複数の部分画像で構成し、各部分画像を表示するための部分画像データを記憶する画像データ記憶手段と、前記画像データ記憶手段に記憶された部分画像データに基づいて部分画像を表示する表示手段と、前記表示手段により表示される部分画像の切り替え方向を指示するための切替手段とを備えた表示装置に、前記切替手段により指示された切り替え方向に応じて前記表示手段における部分画像の表示を制御する表示制御ステップを実行させるものであって、前記画像データ記憶手段は、各部分画像データに、その部分画像データに対応する部分画像と全体画像において隣接する部分画像のページ情報を関連づけて記憶するものであり、前記表示制御ステップは、前記部分画像データに関連づけられた隣接する部分画像のページ情報に基づいて、前記表示手段に表示される部分画像を、前記切替手段により指示された切り替え方向に隣接する部分画像に切り替えて、前記表示手段に表示させるものである。
【発明の効果】
【００１４】
請求項１記載の表示装置によれば、部分画像データに関連づけられた隣接する部分画像のページ情報に基づいて、前記表示手段に表示される部分画像が、前記切替手段により指示された切り替え方向に隣接する部分画像に切り替えられて、表示手段に表示されるので、従来のカーナビゲーションシステムのような高性能のＣＰＵを搭載しなくとも、使用者が所望する部分画像を容易に表示させることができる。よって、使用者が所望する画像を容易に表示させることができる表示装置を安価に構成できるという効果がある。
【００１５】
請求項２記載の表示装置によれば、請求項１記載の表示装置の奏する効果に加え、履歴記憶手段により記憶された切替順序に従って、前記表示手段に部分画像が順次表示されるので、所望の切替順序を予め履歴記憶手段に記憶させておくことにより、従来のカーナビゲーションシステムのような高性能のＣＰＵを搭載しなくとも、使用者が所望する順序で、部分画像を容易に表示させることができるという効果がある。また、選択手段により、前記履歴表示制御手段による表示制御と、前記表示制御手段による表示制御とのいずれか一方が選択されるので、使用状況に合わせて、いずれかの表示制御を選択することができるという効果がある。
【００１６】
請求項３記載の表示装置によれば、請求項２記載の表示装置の奏する効果に加え、前記全体画像において互いに斜め方向に隣接し且つ前記履歴記憶手段に記憶される切替順序において互いに並び合う前記部分画像の間に、前記再構成手段により構成された部分画像を介在させた切替順序で、前記表示手段に部分画像が順次表示されるので、全体画像において互いに斜め方向に隣接する部分画像の隣接部分周辺であっても十分に表示手段に表示されるという効果がある。また、履歴記憶手段に記憶される切り替え順序において互いに並び合う部分画像の間に、再構成手段により構成された部分画像を介在させた切替順序で、部分画像が表示されるので、再構成手段による部分画像の構成処理が連続しない。よって、複雑な処理が連続することによる処理速度の低下が抑制されるという効果がある。
【００１７】
請求項４記載の表示装置によれば、請求項２または３に記載の表示装置の奏する効果に加え、前記切替手段における第１方向の指示操作に対して、前記履歴記憶手段により記憶された切替順序の正方向の部分画像が前記表示装置に表示され、前記切替手段における第２方向の指示操作に対して、前記履歴記憶手段により記憶された切替順序の逆方向の部分画像が前記表示手段に表示されるので、使用者が所望する部分画像を容易に表示させることができるという効果がある。
【００１８】
請求項５記載の表示装置によれば、請求項４記載の表示装置の奏する効果に加え、前記切替手段における第３方向の指示操作に対して、前記履歴記憶手段により記憶された切替順序の最初の部分画像が前記表示装置に表示され、前記切替手段における第４方向の指示操作に対して、前記履歴記憶手段により記憶された切替順序の最後の部分画像が前記表示手段に表示されるので、使用者が所望する画像を容易に表示させることができるという効果がある。
【００１９】
請求項６記載の表示制御プログラムによれば、部分画像データに関連づけられた隣接する部分画像のページ情報に基づいて、前記表示手段に表示される部分画像が、前記切替手段により指示された切り替え方向に隣接する部分画像に切り替えられて、表示手段に表示されるので、従来のカーナビゲーションシステムのような高性能のＣＰＵを搭載せず、安価に構成される表示装置を用いる場合であっても、使用者が所望する部分画像を容易に表示させることができるという効果がある。
【発明を実施するための最良の形態】
【００２０】
以下、本発明の好ましい実施例について、添付図面を参照して説明する。図１は、本発明の実施例の表示装置１０の平面図である。図１に示すように、表示装置１０は、文字又は画像を表示可能な表示パネル２と、枠体３と、表示オンオフキー４と、履歴表示キー５と、選択キー６と、矢印キー７と、記憶媒体挿入口８とを備えている。
【００２１】
表示パネル２は、着色した帯電粒子を分散させた表示液が、２枚のガラス基板の間に封止されることにより構成される電気泳動表示パネルである。表示装置１０において、表示パネル２を構成する２枚のガラス基板の一方が、枠体３の上面３ａ側に露出し、表示画面を構成する。２枚のガラス基板にそれぞれ設けられた電極（図示せず）に、後述する地図データや書籍データなどの各種画像データに応じた電圧を印加することにより、表示液中の帯電粒子を泳動させ、表示画面の裏面側に泳動された帯電粒子に起因する画像を表示させることができる。
【００２２】
枠体３は、表示パネル２を取り囲む部材であって、その上面３ａには、表示オンオフキー４、履歴表示キー５と、選択キー６と、矢印キー７とが設けられている。表示オンオフキー４は、表示パネル２における表示オンと表示オフとを指示するキーである。表示パネル２に文字や画像が表示されている状態において、表示オンオフキー４が押下されると、表示パネル２に表示された画像が消去される。一方、表示パネル２に文字や画像が表示されていない状態において、表示オンオフキー４が押下されると、画像データに応じた文字や画像が表示パネル２に表示される
【００２３】
履歴表示キー５は、後述する履歴表示モードを使用者に設定させるためのキーである。選択キー６は、主に、後述する部分地図ｄ（図３（ａ）参照）の切替順序を設定する操作において使用されるキーである。矢印キー７は、主に、表示パネル２に表示される部分地図ｄの切り替え方向を指示するためのキーであって、上下左右方向を指示可能な十字キー７ａと、上下左右方向に対し４５°で交わる斜め方向を指示可能な斜めキー７ｂとから構成され、上下左右方向およびその上下左右方向に対し４５°で交わる斜め方向の８方向のうち、いずれか一方向を指示可能に構成されている。
【００２４】
図２は、表示装置１０の構成を示すブロック図である。図２に示すように、表示装置１０は、表示パネル２と、表示オンオフキー４と、履歴表示キー５と、選択キー６と、矢印キー７と、ＣＰＵ１１と、ＲＯＭ１２と、ＲＡＭ１３と、補助記憶装置１４と、ドライバ１５と、インターフェース１６（Ｉ／Ｆ１６）とを備えている。
【００２５】
図２に示すように、ＣＰＵ１１、ＲＯＭ１２、ＲＡＭ１３、補助記憶装置１４、ドライバ１５、Ｉ／Ｆ１６はバスを介して接続されている。また、表示パネル２は、ドライバ１５を介してバスに接続されている。表示オンオフキー４、履歴表示キー５、選択キー６、矢印キー７は、バスではなくて図示しないポートを介してＣＰＵに接続されている。
【００２６】
ＣＰＵ１１は、この表示装置１０を総括的に制御する中央演算処理装置であり、図５、図６のフローチャートで示す処理を実行するプログラムなどの各種プログラムを実行する。ＲＯＭ１２は、ＣＰＵ１１により実行される各種制御プログラムや固定値データを記憶する不揮発性のメモリであり、図５、図６のフローチャートで示す処理を実行するプログラム（請求項の表示制御プログラムに相当）を記憶する。
【００２７】
ＲＡＭ１３は、ＣＰＵ１１により実行される各種処理に必要なデータやプログラムを一時的に記憶するものであり、ページ位置メモリ１３ａと、表示モードフラグ１３ｂと、履歴メモリ１３ｃとを備えている。ページ位置メモリ１３ａは、前回、表示パネル２に表示された画像のページ位置情報を記憶するメモリである。本実施例は、後述する通常表示モードにおいて、表示パネル２に表示された画像が消去される際に、その画像のページ位置情報がページ位置メモリ１３ａに記憶されるものとして説明する。なお、本実施例では、ページ位置情報として、前回、表示パネル２に表示された画像の画像データを保持するファイルのファイル名と、そのファイルにおける画像データのページ番号とがページ位置メモリ１３ａに記憶されるものとして説明する。ここで、「ページ番号」とは、ページ単位で構成されるファイルにおいて、各ページ単位のデータが何ページ目のデータであるかを示す値であり、各ページ単位のデータそれぞれに対応付けられた固有の値である。
【００２８】
表示オンオフキー４が押下されることにより表示パネル２における画像の消去が指示されると、そのとき表示パネル２に表示されている画像のページ位置情報が、ページ位置メモリ１３ａに記憶される。そして、再び、表示オンオフキー４が押下されることにより表示パネル２における画像の表示が指示されると、ページ位置メモリ１３ａに記憶されたページ位置情報に基づいて画像データが読み出され、前回、表示パネル２の画像が消去される直前に表示されていた画像が再度表示される。
【００２９】
表示モードフラグ１３ｂは、表示モードを設定するためのフラグである、表示モードフラグ１３ｂがオフ（０）の時、通常表示モードが設定され、表示モードフラグ１３ｃがオン（１）のとき、履歴表示モードが設定される。履歴表示キー５の押下により、表示モードフラグ１３ｂのオンオフが切り替えられる。なお、通常表示モードと履歴表示モードについては、図４を参照しつつ後に詳細に説明する。履歴メモリ１３ｃは、部分地図ｄ（図３（ａ）参照）の切替順序を記憶するメモリである。なお、部分地図ｄの切替順序については、図４を参照しつつ後に詳細に説明する。
【００３０】
補助記憶装置１４は、記憶媒体読取装置と、その記憶媒体読取装置で読み取り可能であって、記憶媒体読取装置から分離して持ち運び可能な記憶媒体（例えば、ＳＤメモリーカード）とから構成される。補助記憶装置１４の記憶媒体は、記憶媒体挿入口８（図１参照）から挿入されて記憶媒体読取装置に装着される。本実施例では、記憶媒体に、地図ファイル２０（図３参照）が格納されているものとして説明する。記憶媒体に格納される地図ファイル２０は、後に説明するマップ表示処理（図５参照）において読み出され、地図ファイル２０を構成する地図データに基づく地図が、表示パネル２に表示される。なお、本実施例においては、１つの地図ファイル２０のみが記憶媒体に格納されているものとして説明するが、記憶媒体には、複数種類の地図ファイル２０が格納されていても良いし、地図ファイル２０の他に、例えば、小説などの書籍や、回路図、メカ図面、建築図面、組織図、組織表、フロアレイアウト図、時刻表などが電子化された画像データから構成されるファイルが格納されていてもよい。
【００３１】
ドライバ１５は、ＣＰＵ１１からの制御に従い、表示パネル２を構成する一対の基板に設けられた電極（図示せず）に電圧を供給する回路である。ドライバ１５を用いて、後述する部分地図データＤなどの各種画像データに基づいた電圧を、一対の基板に設けられた電極に供給することにより、基板間に充填された表示液に電界を付与し、着色した帯電粒子を泳動させて、画像データに基づいた文字や画像を表示パネル２に表示させる。
【００３２】
Ｉ／Ｆ１６は、パーソナルコンピュータ（ＰＣ）などの外部装置を有線接続又は無線接続するためのインターフェイスであり、このＩ／Ｆ１６を介して接続されたパーソナルコンピュータ（ＰＣ）などの外部装置とのデータの入出力を制御するものである。
【００３３】
図３を参照して、補助記憶装置１４の記憶媒体に格納される地図ファイル２０の構成について説明する。図３（ａ）は、地図ファイル２０を模式的に示す図である。図３（ａ）に示すように、地図ファイル２０は、１つの全体地図データＴと、複数（本実施例では１６）の部分地図データＤとから構成される。全体地図データＴは、例えば、所定エリア（例えば、一都道府県、市販される紙媒体の地図帳における１ページに記載される領域）を含む矩形状の全体地図ｔに対応した画像データである。
【００３４】
図３（ｂ）は、全体地図データＴに基づいて表示パネル２に表示される全体地図ｔを模式的に示す図である。図３（ｂ）に示すように、全体地図ｔを上下方向（南北方向）および左右方向（東西方向）に等間隔に区画して得られる各領域が、部分地図ｄ１〜ｄ１６に相当する。また、各部分地図ｄ１〜ｄ１６には、それぞれ固有のページ番号「１」〜「１６」が対応付けられている。図３（ａ）に示すように、各部分地図ｄ１〜ｄ１６を表示パネル２に表示させるための部分データＤ１〜Ｄ１６は、１つの全体地図データＴを先頭として、ページ番号の順に地図ファイル２０に保持される。
【００３５】
図３（ｂ）に示すように、本実施例においては、表示パネル２に全体地図ｔが表示される場合、１つの部分地図ｄ（図３（ｂ）においては、部分地図ｄ７）に相当する領域が、白黒反転表示される。この白黒反転表示される領域は、矢印キー７（図１参照）による操作に応じて移動させることができる。そして、表示パネル２において、一つの部分地図ｄが白黒反転表示されている状態において、使用者により選択キー６（図１参照）が押下されると、表示パネル２における表示が、全体地図ｔから、白黒反転表示されていた部分地図ｄへ切り替えられる。
【００３６】
なお、本実施例の表示装置１０においては、全体地図ｔ、部分地図ｄ１〜ｄ１６は、いずれも、北の方角Ｎが表示パネル２に向かって上側となるように、西の方角Ｅが表示パネル２に向かって左側となるように表示される。そして、図３（ｂ）に示すように、各部分地図ｄ１〜ｄ１６には、それぞれ、全体地図ｔにおける左上（北西方向）から右方向（東方向）へ向けて順に、「１」からページ番号が対応付けられている。
【００３７】
次に、地図ファイル２０を構成する各部分地図データＤ１〜Ｄ１６にそれぞれ関連づけられる「隣接ページ情報」について説明する。各部分地図データＤ１〜Ｄ１６には、その部分地図データＤに対応する部分地図ｄと全体地図ｔにおいて隣接する部分地図ｄのページ番号が、隣接ページ情報として関連づけられる。ここで、隣接する部分地図ｄとは、全体地図ｔ上において東西南北方向に隣接する部分地図ｄに加えて、北西方向、北東方向、南西方向、南東方向、すなわち斜め方向に隣接する部分地図ｄを含む意味である。
【００３８】
部分地図データＤ７に関連づけられる「隣接ページ情報」を例にとって、「隣接ページ情報」について説明する。なお、各部分地図データＤ１〜Ｄ６、Ｄ８〜Ｄ１６についても同様に、各部分地図データＤに応じた隣接ページ情報がそれぞれ関連づけられるが、説明が重複するので、他の部分地図データＤについての図示および説明は省略する。例えば、図３（ｂ）に示すように、全体地図ｔにおいて、部分地図ｄ７の北の方角Ｎには部分地図ｄ３が隣接し、西の方角Ｗには部分地図ｄ６が隣接し、南の方角Ｓには部分地図ｄ１１が隣接し、東の方角Ｅには部分地図ｄ８が隣接している。さらに、北西の方角Ｎ／Ｗには部分地図ｄ２が隣接し、北東の方角Ｎ／Ｅには部分地図ｄ４が隣接し、南東の方角Ｓ／Ｅには部分地図ｄ１２が隣接し、南西の方角Ｓ／Ｗには部分地図ｄ１０が隣接する。部分地図データＤ７には、全体地図ｔにおいてこのような隣接関係にある部分地図ｄのページ番号２，３，４，６，８，１０，１１，１２が、隣接ページ情報（請求項の「隣接する部分画像のページ情報」に相当）として付加され、関連づけられる。
【００３９】
図３（ｃ）は、部分地図データＤ７に付加される隣接ページ情報を模式的に示す図である。図３（ｃ）に示すように、「隣接ページ情報」は、方角と、その方角において隣接関係にある部分地図ｄのページ番号とが対応付けられた情報である。部分地図データＤ７に関連づけられた隣接ページ情報を参照することにより、部分地図ｄ７に対し、ある方向について隣接関係にある部分地図ｄを決定することができる。
【００４０】
次に、図３（ｄ）を参照して、部分地図ｄ７が４分割された単位地図ｕ７と、単位地図ｕ７に対応する単位地図データＵ７とについて説明する。図３（ｄ）は、単位地図ｕ７を模式的に示す図である。図３（ｄ）に示すように、単位地図ｕ７は、部分地図ｄが上下左右方向（東西南北の方向）に４分割された各領域に相当する地図である。分割された各領域の内、部分地図ｄ７の北西領域が単位地図ｕ７Ｎｗに相当し、北東領域が単位地図ｕ７ＮＥに相当し、南西領域が単位地図ｕ７ＳＷに相当し、南東領域が単位地図ｕ７ＳＥに相当する。単位地図ｕ７Ｎｗ、ｕ７ＮＥ、ｕ７ＳＷ、ｕ７ＳＥにそれぞれ対応する単位地図データＵ７Ｎｗ、Ｕ７ＮＥ、Ｕ７ＳＷ、Ｕ７ＳＥは、地図ファイル２０において、部分地図データＤ７に付加される。なお、各部分地図データＤ１〜Ｄ１６についても、部分地図データＤ７と同様に、各部分地図ｄが４分割された単位地図ｕに対応する単位地図データＵが付加されるが、説明が重複するので、図示および説明は省略する。
【００４１】
図４を参照して、表示装置１０において設定可能な通常表示モードと履歴表示モードについて説明する。図４（ａ）は、通常表示モードが設定されている場合に、表示パネル２に表示される部分地図ｄを示す図である。まず、部分地図ｄ７が表示パネル２に表示されている状態において、矢印キー７（十字キー７ａ）により下方向（南の方角）が指示されると、部分地図データＤ７に関連づけられた隣接ページ情報（図３（ｃ）参照）に従って、全体地図ｔにおいて部分地図ｄ７の下方向（南側）に隣接する部分地図ｄ１１が、表示すべき部分地図ｄとして決定される。そして、表示パネル２における表示が、部分地図ｄ７から部分地図ｄ１１に切り替えられる。
【００４２】
次に、部分地図ｄ１１が表示パネル２に表示されている状態において、矢印キー７（斜めキー７ｂ）により斜め左下（南西の方角）が指示されると、部分地図データＤ１１に関連づけられた隣接ページ情報に従って、全体地図ｔにおいて部分地図ｄ１１の斜め左下方向（南西側）に隣接する部分地図ｄ１４が、表示すべき部分地図ｄとして決定される。そして、表示パネル２における表示が、部分地図ｄ１１から部分地図ｄ１４に切り替えられる。このように、通常表示モードが設定されている場合は、矢印キー７により指示された切り替え方向に応じて、表示パネル２に表示する部分地図ｄを切り替える表示制御がされる。
【００４３】
図４（ｂ）は、履歴表示モードが設定されている場合に、表示パネル２に表示される部分地図ｄを示す図である。なお、履歴表示モードにおける部分地図ｄの切替順序は、予め履歴メモリ１３ｃに記憶させておく。ここでは、切替順序として、部分地図ｄ７→部分地図ｄ８→部分地図ｄ１２の順序が履歴メモリ１３ｃに予め記憶されているものとして説明する。
【００４４】
履歴表示モードでは、まず、図４（ｂ）に示すように、切替順序において１番目の部分地図ｄ７を表示パネル２に表示させる。この状態において、矢印キー７により左方向または右方向が指示されると、切替順序において２番目の部分地図ｄ８を表示パネル２に表示させる。そして、再び矢印キー７により左方向または右方向が指示されることに基づいて、切替順序において３番目の部分地図ｄ１２を表示パネル２に表示させる。このように、履歴表示モードが設定されている場合は、矢印キー７により、左方向または右方向を指示することにより、履歴メモリ１３ｃに予め記憶させた切替順序に従って、部分地図ｄが順次表示されるように、表示制御がされる。
【００４５】
次に、図５，図６のフローチャートを参照して、上記のように構成される表示装置１０において実行される、マップ表示処理について説明する。図５は、表示装置１０で実行されるマップ表示処理を示すフローチャートである。このマップ表示処理は、表示オンオフキー４により、表示オンが指示されると起動する処理である。
【００４６】
まず、表示モードフラグ１３ｂ（図２参照）をオフにする（Ｓ１）。これにより、通常表示モードが設定される。次に、ページ位置メモリ１３ａにページ位置情報が記憶されているか否かを判断する（Ｓ２）。ページ位置メモリ１３ａにページ位置情報が記憶されていない場合（Ｓ２：Ｙｅｓ）、全体地図ｔを表示パネル２に表示させる（Ｓ４）。なお、全体地図ｔを表示パネル２に表示させる際には、全体地図ｔを構成する部分地図ｄのうち、いずれか１つの部分地図ｄを、白黒反転表示させる（図３（ｂ）参照）。
【００４７】
次に、表示パネル２に全体地図ｔが表示された状態において、いずれかのキーが押下されたか否かを判断する（Ｓ６）。キーが押下され（Ｓ６：Ｙｅｓ）、押下されたキーが表示オンオフキー４である場合（Ｓ８：Ｙｅｓ）、表示パネル２の表示を消去し（Ｓ１０）、処理を終了する。
【００４８】
一方、キーが押下され（Ｓ６：Ｙｅｓ）、押下されたキーが、表示オンオフキー４ではなく（Ｓ８：Ｎｏ）、選択キー６である場合（Ｓ１２：Ｙｅｓ）、そのとき白黒反転表示されている部分地図ｄが選択され、選択された部分地図ｄを表示パネル２に表示させる（Ｓ１４）。
【００４９】
一方、キーが押下され（Ｓ６：Ｙｅｓ）、押下されたキーが、表示オンオフキー４ではなく（Ｓ８：Ｎｏ）、選択キー６でなく（Ｓ１２：Ｎｏ）、矢印キー７である場合（Ｓ１６：Ｙｅｓ）、矢印キー７からの指示に応じて、白黒反転表示位置を切り替え（Ｓ１８）、Ｓ６の処理に戻る。
【００５０】
なお、キーが押下され（Ｓ６：Ｙｅｓ）、押下されたキーが、表示オンオフキー４ではなく（Ｓ８：Ｎｏ）、選択キー６でなく（Ｓ１２：Ｎｏ）、矢印キー７でない場合（Ｓ１６：Ｎｏ）、すなわち、履歴表示キー５が押下された場合は、Ｓ６の処理に戻る。すなわち、全体地図ｔが表示パネル２に表示された後（Ｓ４）、使用者は矢印キー７を操作することにより白黒反転位置を切り替えて（Ｓ１８）、詳細に表示させたい部分地図ｄを白黒反転表示させ、選択キー６を押下することにより、所望の部分地図ｄを選択して表示パネル２に表示させることができる（Ｓ１４）。
【００５１】
Ｓ２の処理に戻り説明する。ページ位置メモリ１３ａにページ位置情報が記憶されている場合（Ｓ２：Ｙｅｓ）、ページ位置メモリ１３ａに記憶されたページ位置情報に基づく部分地図ｄを表示パネル２に表示させる（Ｓ２０）。ページ位置メモリ１３ｃには、前回の表示を消去する直前に、表示パネル２に表示されていた部分地図ｄのページ位置情報が記憶されているので、そのページ位置情報に基づいて、前回の表示を消去する直前に表示されていた部分地図ｄを再び表示パネル２に表示させる（Ｓ２０）。そして、Ｓ２２の処理に移行する。
【００５２】
次に、いずれかのキーが押下されたか否かを判断する（Ｓ２２）。キーが押下され（Ｓ２２：Ｙｅｓ）、押下されたキーが表示オンオフキー４である場合（Ｓ２４：Ｙｅｓ）、表示されている部分地図ｄのページ位置情報をページ位置メモリ１３ａに記憶させ（Ｓ２６）、表示パネル２の表示を消去し（Ｓ２８）、処理を終了する。
【００５３】
一方、キーが押下され（Ｓ２２：Ｙｅｓ）、押下されたキーが矢印キー７である場合、すなわち、表示オンオフキー４でなく（Ｓ２４：Ｎｏ）、選択キー６でなく（Ｓ３０：Ｎｏ）、履歴表示キー５でない場合（Ｓ３２：Ｎｏ）、表示パネル２に表示される部分地図ｄを、全体地図ｔにおいて、矢印キー７により指示された切り替え方向に隣接する部分地図ｄに切り替えて、表示パネル２に表示させる（Ｓ３４）。具体的には、表示パネル２に表示されている部分地図ｄに対応する部分地図データＤを参照し、その部分地図データＤに関連づけられた隣接ページ情報（図３（ｃ）参照）に基づいて、矢印キー７により指示された切り替え方向に隣接する部分地図ｄを決定し、表示パネル２に表示させる。そして、Ｓ２２の処理に戻る。このように、表示モードフラグ１３ｂがオフとされ（Ｓ１）、通常表示モードが設定されている間、使用者は、矢印キー７を押下するという容易な操作により、所望する方向に隣接する部分地図Ｄを表示パネル２に表示させることができる。
【００５４】
一方、キーが押下され（Ｓ２２：Ｙｅｓ）、表示オンオフキー４でなく（Ｓ２４：Ｎｏ）、選択キー６でなく（Ｓ３０：Ｎｏ）、履歴表示キー５である場合（Ｓ３２：Ｙｅｓ）、表示モードフラグ１３ｂをオンにする（Ｓ３６）。すなわち、通常表示モードを解除し、履歴表示モードを設定する。そして、履歴メモリ１３ｃに記憶された切替順序に従って部分地図ｄを表示する履歴モード処理を実行する（Ｓ３８）。なお、履歴モード処理については、図６を参照しつつ後に詳細に説明する。
【００５５】
一方、キーが押下され（Ｓ２２：Ｙｅｓ）、押下されたキーが、表示オンオフキー４ではなく（Ｓ２４：Ｎｏ）、選択キー６である場合（Ｓ３０：Ｙｅｓ）、切替順序の記憶を開始する。具体的には、矢印キー７により表示パネル２における表示が切り替えられた場合、その切り替えられた部分地図ｄのページ番号を順次記憶することにより、表示パネル２に表示された順番に、部分地図ｄの切替順序を記憶する。
【００５６】
まず、選択キー６が押下されたときに表示パネル２に表示されている部分地図ｄのページ番号を履歴メモリ１３ｃに記憶する（Ｓ４０）。次に、押下されたキーが、矢印キー７である場合、すなわち表示オンオフキー４でなく（Ｓ４２：Ｙｅｓ）、選択キー６でなく（Ｓ４４：Ｎｏ）、履歴表示キー５でない場合（Ｓ４６：Ｎｏ）、表示パネル２に表示される部分地図ｄを、全体地図ｔにおいて、矢印キー７により指示された切り替え方向に隣接する部分地図ｄに切り替えて、表示パネル２に表示させる（Ｓ４８）。そして、表示パネル２に表示された部分地図ｄのページ番号を履歴メモリ１３ｃに記憶する（Ｓ４０）。
【００５７】
このようにして処理を繰り返すことにより、履歴メモリ１３ｃには、表示パネル２に表示された部分地図ｄのページ番号が順次記憶される。部分地図ｄの切替順序を履歴メモリ１３ｃに予め記憶させておくことにより、後に説明する履歴モード処理（図６参照）において、その切替順序に従って、部分地図ｄを順次表示させることができる。
【００５８】
一方、キーが押下され、押下されたキーが、表示オンオフキー４でなく（Ｓ４２：Ｎｏ）、選択キー６である場合（Ｓ４４：Ｙｅｓ）、履歴情報記憶処理を終了し（Ｓ５０）、Ｓ２２の処理に戻る。
【００５９】
一方、キーが押下され、押下されたキーが表示オンオフキー４でなく（Ｓ２４：Ｎｏ）、選択キー６でなく（Ｓ４４：Ｎｏ）、履歴表示キー５である場合（Ｓ４６：Ｙｅｓ）、表示モードフラグをオンにする（Ｓ５４）。すなわち、通常表示モードを解除し、履歴表示モードを設定される。そして、後述する履歴モード表示処理を実行する（Ｓ５６）。
【００６０】
一方、キーが押下され、押下されたキーが表示オンオフキー４である場合（Ｓ４２：Ｙｅｓ）、表示パネル２の表示を消去し（Ｓ６０）、処理を終了する。
【００６１】
図６を参照して、履歴モード処理（Ｓ３８，Ｓ５６）について説明する。図６は、履歴モード処理（Ｓ３８，Ｓ５６）を示すフローチャートである。
【００６２】
履歴モード処理では、まず、履歴メモリ１３ｃに記憶された切替順序の最初の部分地図ｄを表示パネル２に表示させる（Ｓ３８１）。次に、キーが押下されたか否かを判断する（Ｓ３８２）。押下されたキーが表示オンオフキー４である場合（Ｓ３８４：Ｙｅｓ）、表示パネル２における表示を消去し（Ｓ３８５）、処理を終了する。押下されたキーが表示オンオフキー４ではなく（Ｓ３８４：Ｎｏ）、履歴表示キー５である場合（Ｓ３８６：Ｙｅｓ）、表示モードフラグ１３ｂをオフとし（Ｓ３８７）、すなわち、履歴表示モードを解除して通常表示モードを設定し、マップ表示処理（図５）に戻る。押下されたキーが、表示オンオフキー４ではなく（Ｓ３８４：Ｎｏ）、履歴表示キー５ではなく（Ｓ３８６：Ｎｏ）、矢印キー７ではない場合（Ｓ３８８：Ｎｏ）、すなわち、選択キー６である場合、Ｓ３８２の処理に戻る。
【００６３】
一方、押下されたキーが表示オンオフキー４ではなく（Ｓ３８４：Ｎｏ）、履歴表示キー５ではなく（Ｓ３８６：Ｎｏ）、矢印キー７である場合（Ｓ３８８：Ｙｅｓ）、次に、矢印キー７により指示された切り替え方向が、左右方向又は斜め方向か否かを判断する（Ｓ３９０）。指示された切り替え方向が左右方向又は斜め方向ではない場合（Ｓ３９０：Ｎｏ）、矢印キー７により指示された切り替え方向が上方向か否かを判断する（Ｓ３９２）。
【００６４】
矢印キー７において上方向（請求項の第３方向に相当）の指示操作がされた場合（Ｓ３９２：Ｙｅｓ）、履歴メモリ１３ｃに記憶された切替順序の最初の部分地図ｄを表示パネル２に表示させる（Ｓ３９４）。一方、矢印キー７において下方向（請求項の第４方向に相当）の指示操作がされた場合（Ｓ３９２：Ｎｏ）、履歴メモリ１３ｃに記憶された切替順序の最後の部分地図ｄを表示パネル２に表示させる（Ｓ３９６）。すなわち、使用者は、矢印キー７において上方向または下方向を一度押下するという容易な操作で、切替順序において最初または最後の部分地図ｄを表示パネル２に表示させることができる。
【００６５】
一方、矢印キー７により指示された切り替え方向が、左右方向又は斜め方向である場合（Ｓ３９０：Ｙｅｓ）について説明する。矢印キー７により指示された切り替え方向が左右方向又は斜め方向である場合（Ｓ３９０：Ｙｅｓ）、履歴メモリ１３ｃに記憶された切替順序を参照することにより、切替順序において、現在表示パネル２に表示されている部分地図ｄの次の部分地図ｄを決定する（Ｓ３９８）。なお、現在表示パネル２に表示されている部分地図ｄが、履歴メモリ１３ｃに記憶された切替順序の最後である場合、切替順序において最初の部分地図ｄを決定する。
【００６６】
そして、決定された次の部分地図ｄが、現在表示パネル２に表示されている部分地図ｄと、全体地図ｔにおいて互いに斜め方向に隣接するかを判断する（Ｓ４００）。この判断が否定される場合（Ｓ４００：Ｎｏ）、すなわち、決定された次の部分地図ｄが、現在表示パネル２に表示されている部分地図ｄと、全体地図ｔにおいて、上下方向または左右方向に互いに隣接する場合、決定された部分地図ｄを表示パネル２に表示させ（Ｓ４０２）、Ｓ３８２の処理に戻る。
【００６７】
一方、決定された次の部分地図ｄが、現在表示パネル２に表示されている部分地図ｄと、全体地図ｔにおいて互いに斜め方向に隣接する場合（Ｓ４００：Ｙｅｓ）、それらの部分地図ｄの隣接部分周辺に対応する４つの単位地図データＵから部分地図ｄを再構成して、表示パネル２に表示させる（Ｓ４０４）。
【００６８】
ここで、Ｓ４０４での処理について、図３（ｂ）を再び参照して説明する。図３（ｂ）に示すように、例えば、部分地図ｄ７は、部分地図ｄ３の下方向（南）に隣接する地図である。したがって、部分地図ｄ３と部分地図ｄ７の隣接部分周辺は、部分地図ｄ３か部分地図ｄ７のいずれかにより、表示パネル２に表示される。よって、使用者が確認したいルートが、例えば、部分地図ｄ３と部分地図ｄ７との隣接部分を横切る場合、履歴メモリ１３ｃに記憶される切替順序に従って、部分地図ｄ３と部分地図ｄ７とを順次表示パネル２に表示することにより、そのルート周辺を十分に確認することができる。なお、ここで「隣接部分」とは、全体地図ｔにおいて隣接する２つの部分地図ｄが互いに最も近接する部分、または互いに重複する部分を意味する。
【００６９】
これに対し、図３（ｂ）に示すように、例えば、部分地図ｄ７と部分地図ｄ１０とは、全体地図ｔにおいて互いに斜め方向に隣接するので、履歴メモリ１３ｃに記憶される切替順序そのままに部分地図ｄ７と部分地図ｄ１０とを順次表示パネル２に表示したとしても、その隣接部分周辺を十分に確認することができない。図７を参照して、部分地図ｄ７と部分地図ｄ１０との隣接関係について、より詳細に説明する。
【００７０】
図７（ａ）は、部分地図ｄ７と部分地図ｄ１０との隣接部分を模式的に示す図である。図７（ａ）に示すように、部分地図ｄ７と部分地図ｄ１０とが互いに接する点Ｐが、部分地図ｄ７と部分地図ｄ１０との隣接部分に相当する。ここで、点Ｐの周辺は、部分地図ｄ６、部分地図ｄ７、部分地図ｄ１０、部分地図ｄ１１とにより表示される。よって、使用者が確認したいルートが、例えば、点Ｐ付近を通過するものである場合、部分地図ｄ７と部分地図ｄ１０とを表示パネル２に表示するだけでは、そのルート周辺を十分に確認することができず不便である。
【００７１】
したがって、本実施例の表示装置１０においては、履歴メモリ１３ｃに記憶される切替順序において互いに並び合う部分地図ｄが、全体地図ｔにおいて互いに斜め方向に隣接する場合、その隣接部分周辺に対応する４つの単位地図データＵから、その隣接部分周辺を示す部分地図ｄを再構成して、表示パネル２に表示させることとした。
【００７２】
図７（ｂ）は、点Ｐ周辺に対応する４つの単位地図ｕを模式的に示す図である。図７（ｂ）に示すように、点Ｐの北西側を表示する部分地図ｄ６の南東領域に相当する単位地図ｕ６ＳＥ、点Ｐの北東側を表示する部分地図ｄ７の南西領域に相当する単位地図ｕ７Ｓｗ、点Ｐの南西側を表示する部分地図ｄ１０の北東領域に相当する単位地図ｕ１０ＮＥ、点Ｐの南東側を表示する部分地図ｄ１１の北西領域に相当する単位地図ｕ１１ＮＷ からなる部分地図ｄ７−１０は、点Ｐ周辺を十分に示すことができる。
【００７３】
これら単位地図ｕ６ＳＥ、ｕ７Ｓｗ、ｕ１０ＮＥ、ｕ１１ＮＷ に対応する単位地図データＵ６ＳＥ、Ｕ７Ｓｗ、Ｕ１０ＮＥ、Ｕ１１ＮＷ は、地図ファイル２０（図３（ａ）参照）において、部分地図データＤ６、Ｄ７、Ｄ１０、Ｄ１１にそれぞれ付加されている。従って、これら部分地図データＤ６、Ｄ７、Ｄ１０、Ｄ１１に付加された単位地図データＵ６ＳＥ、Ｕ７Ｓｗ、Ｕ１０ＮＥ、Ｕ１１ＮＷ から、点Ｐ周辺を含む部分地図ｄ７−１０を再構成して表示パネル２に表示させることができる。
【００７４】
図７（ｃ）は、再構成された部分地図ｄ７−１０を含む切替順序について説明する図である。履歴メモリ１３ｃには、切替順序として部分地図ｄ７→部分地図ｄ１０の順序が記憶されているものとする。表示パネル２に部分地図ｄ７が表示されている状態において、矢印キー７により指示された切り替え方向が左右方向又は斜め方向である場合、単位地図データＵ６ＳＥ、Ｕ７Ｓｗ、Ｕ１０ＮＥ、Ｕ１１ＮＷ に基づいて部分地図ｄ７−１０が再構成され、表示パネル２に表示される。そして、次に矢印キー７により切替指示がなされると、履歴メモリ１３ｃに記憶された切替順序において、部分地図ｄ７の次の部分地図ｄに相当する部分地図ｄ１０が、表示パネル２に表示される。
【００７５】
このように、全体地図ｔにおいて互いに斜め方向に隣接し、且つ履歴メモリ１３ｂに記憶された切替順序において互いに並び合う部分地図ｄ７と部分地図ｄ１０との間に、再構成された部分地図ｄ７−１０を介在させた切替順序で、表示パネル２に部分地図ｄが表示されるので、全体地図ｔにおいて互いに斜め方向に隣接する部分地図ｄの隣接部分周辺が容易に表示パネル２に表示される。
【００７６】
このようにして、Ｓ３９８にて決定された次の部分地図ｄが、現在表示パネル２に表示されている部分地図ｄと、全体地図ｔにおいて互いに斜め方向に隣接する場合（Ｓ４００：Ｙｅｓ）、それらの部分地図ｄの隣接部分周辺に対応する４つの単位地図データＵから部分地図ｄを再構成して、表示パネル２に表示されて（Ｓ４０４）、Ｓ４０６に移行する。
【００７７】
そして、キーが押下されたか否かを判断し（Ｓ４０６）。押下されたキーが表示オンオフキー４である場合（Ｓ４０８：Ｙｅｓ）、表示パネル２における表示を消去し（Ｓ４０９）、処理を終了する。押下されたキーが表示オンオフキー４ではなく（Ｓ４０８：Ｎｏ）、履歴表示キー５である場合（Ｓ４１０：Ｙｅｓ）、表示モードフラグ１３ｂをオフとし（Ｓ４１１）、すなわち、履歴表示モードを解除して通常表示モードを設定し、マップ表示処理（図５）に戻る。
【００７８】
キーが押下され（Ｓ４０６：Ｙｅｓ）、その押下されたキーが、表示オンオフキー４ではなく（Ｓ４０８：Ｎｏ）、履歴表示キー５ではなく（Ｓ４１０：Ｎｏ）、矢印キー７である場合（Ｓ４１２：Ｙｅｓ）、Ｓ３９８の処理において決定された次の部分地図ｄを表示させる（Ｓ４１４）。
【００７９】
このようにすれば、履歴メモリ１３ｃに記憶された切替順序において互いに並び合う部分地図ｄの間に、再構成された部分地図ｄを介在させた切替順序で、表示パネル２に部分地図ｄを順次表示させることができるので、全体地図ｔにおいて互いに斜め方向に隣接する部分地図ｄの隣接部分周辺が容易に表示パネル２に表示される。
【００８０】
このように、履歴モード処理（Ｓ３８，Ｓ５６）においては、矢印キー７により指示された切り替え方向に応じて、履歴メモリ１３ｃに従った順序で、部分地図ｄが順次表示される。
【００８１】
本実施例の表示装置１０によれば、部分地図データＤに関連づけられた隣接ページ情報に基づいて、表示パネル２に表示される部分地図ｄが、矢印キー７により指示された切り替え方向に隣接する部分地図ｄに切り替えられて、表示パネル２に表示されるので、従来のカーナビゲーションシステムのような高性能のＣＰＵを搭載しなくとも、使用者が所望する地図を容易に表示させることができる。よって、使用者が所望する地図を容易に表示させることができる表示装置１０を安価に構成できる。
【００８２】
また、本実施例の表示装置１０によれば、履歴メモリ１３ｃにより記憶された切替順序に従って、部分地図ｄが表示パネル２に順次表示されるので、所望の切替順序を予め履歴メモリ１３ｃに記憶させておくことにより、従来のカーナビゲーションシステムのような高性能のＣＰＵを搭載しなくとも使用者が所望する順序で、地図を容易に表示させることができる。したがって、表示装置１０を屋外に携帯し、目的地までのルートを表示させたい場合に特に便利である。例えば、紙媒体で構成された地図帳を参照しつつ目的地まで移動しようとする場合、自らの現在地に応じた地図を探し出すという動作は、机などがない屋外においては特に煩わしい。本実施例の表示装置１０によれば、目的地までのルートに合わせた切替順序を予め履歴メモリ１３ｃに予め記憶させておき、自らの移動に伴って矢印キー７を操作することにより、容易な操作で、現在地に応じた表示を表示パネル２に表示させることができる。
【００８３】
また、本実施例の表示装置１０によれば、履歴表示モードにおいて、斜め方向のルートが指示された場合に限って、斜め方向に互いに隣接する部分地図ｄの隣接部分周辺に対応する部分地図ｄを再構成し表示させることとしたので、部分地図の再構成処理が連続して行われることがない。よって、複雑な処理が連続することによる処理速度の低下が抑制される。
【００８４】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００８５】
例えば、本実施例では、履歴表示モードが設定されているときに、斜め方向のルートが指示された場合に、部分地図ｄを再構成するものとして説明したが、通常表示モードが設定されているときに、矢印キー７により斜め方向の指示がされた場合に、その隣接部分周辺に対応する部分地図を再構成するように構成しても良い。
【００８６】
また、本実施例では、履歴表示モードにおいて、矢印キー７により左右方向のいずれかが指示された場合に、履歴メモリ１３ｃに記憶された切替順序において次の部分地図ｄが表示されるように構成されていたが、例えば、矢印キー７において、左方向（請求項の第１方向に相当）の指示操作がされた場合には、履歴メモリ１３ｂに記憶される切替順序の正方向の部分地図ｄ、すなわち切替順序において次の部分地図ｄを表示させ、一方、矢印キー７において、右方向（請求項の第２方向に相当）が指示操作がされた場合には、履歴メモリ１３ｃに記憶される切替順序の逆方向の部分地図ｄ、すなわち切替順序において前の部分地図ｄを表示させるように構成しても良い。このようにすれば、切替順序において次または前の部分地図ｄのうち、使用者の所望に応じた部分地図ｄを、容易な操作で表示パネル２に表示させることができる。
【００８７】
また、このように構成した場合、矢印キー７において左斜め方向の指示操作がされた場合には、現在表示パネル２に表示される部分地図ｄと、切替順序において次の部分地図ｄとの隣接部分周辺に対応した部分地図ｄを再構成して表示パネル２に表示させ、一方、矢印キー７において右斜め方向の支持操作がされた場合には、現在表示パネル２に表示されている部分地図ｄと、切替順序において前の部分地図ｄとの隣接部分周辺に対応した部分地図ｄを再構成して表示パネル２に表示させるものであってもよい。
【００８８】
また、本実施例では、全体地図ｔおよび部分地図ｄは、いずれも北方向が表示パネル２の上方向に位置するように表示されていたが、例えば、矢印キー７の操作に従って、全体地図ｔおよび部分地図ｄが回転して表示されるように構成してもよい。
【００８９】
また、本実施例では、部分地図ｄが全体地図ｔにおいて互いに斜め方向に隣接する場合に、その部分地図ｄの隣接部分周辺を構成する部分地図ｄが再構成されていたが、部分地図ｄが全体地図ｔにおいて、上下方向または左右方向に隣接する場合においても、単位地図データｕに基づいて、その隣接部分周辺を構成する部分地図ｄを再構成して表示するように構成しても良い。
【００９０】
また、本実施例では、表示パネル２に地図を表示するとして説明したが、地図に限られず、例えば、回路図、時刻表、メカ図面、建築図面、組織図、組織表、フロアレイアウト図などを表示する場合にも本発明は適用できる。例えば、回路図を表示させる場合には、信号の流れに沿って部分図を切り替え表示できるよう、部分図の切替順序を履歴メモリ１３ｃに予め記憶しておき、実際の回路を見ながら部分図を切り替えることができるように構成すれば便利である。また、時刻表を表示させる場合には、乗り換えに応じて部分図の切替順序を決定して、その切替順序を履歴メモリ１３ｃに予め記憶しておいてから外出時に携帯することで、駅などの屋外においても容易に参照できる。
【００９１】
また、表示装置１０に防水加工を施して、屋外においても取り扱い易くしても良い。
【図面の簡単な説明】
【００９２】
【図１】本発明の実施例の表示装置の平面図である。
【図２】表示装置の構成を示すブロック図である。
【図３】（ａ）は、地図ファイルを模式的に示す図であり、（ｂ）は、全体地図データに基づいて表示パネルに表示される全体地図を模式的に示す図であり、（ｃ）は、部分地図データに付加される隣接ページ情報を模式的に示す図であり、（ｄ）は、単位地図を模式的に示す図である。
【図４】（ａ）は、通常表示モードによる表示制御がされる場合に、表示パネルに表示される部分地図を示す図であり、（ｂ）は、履歴表示モードによる表示制御がされる場合に、表示パネルに表示される部分地図を示す図である。
【図５】表示装置で実行されるマップ表示処理を示すフローチャートである。
【図６】履歴モード処理を示すフローチャートである。
【図７】（ａ）は、部分地図と部分地図との隣接部分を模式的に示す図であり、（ｂ）は、点Ｐ周辺に対応する４つの単位地図を模式的に示す図であり、（ｃ）は、再構成された部分地図を含む切替順序について説明する図である。
【符号の説明】
【００９３】
２                  表示パネル（表示手段）
７                  矢印キー（切替手段）
１３ｃ              履歴メモリ（履歴記憶手段）
１４                補助記憶装置（画像データ記憶手段）
Ｄ                  部分地図データ（部分画像データ）
ｄ                  部分地図（部分画像）
ｔ                  全体地図（全体画像）
Ｓ１６              表示制御手段
Ｓ３１２，Ｓ３１４  履歴表示制御手段の一部
Ｓ３１８，Ｓ３２０  履歴表示制御手段の一部
Ｓ３２８，Ｓ３３２  履歴表示制御手段の一部
【図１】
2007072064.tif 000003
【図２】
2007072064.tif 000004
【図３】
2007072064.tif 000005
【図４】
2007072064.tif 000006
【図５】
2007072064.tif 000007
【図６】
2007072064.tif 000008
【図７】
2007072064.tif 000009